(57)【要約】【課題】ダイビング・フェイス・マスク用ストラップの装着者の頭部に対するフィット性の向上。【解決手段】ダイビング・フェイス・マスク用のストラップ１５において、その中央帯域に位置する環状部１８を形成する上側分岐部２０及び下側分岐部２１の周長を前者において大きくかつ後者において小さくし、好ましくは、さらにストラップ１５の左右に二分する側帯域２２，２３を下側分岐部２１の側へ傾斜させてある。【選択図】図２
2006204460.tif 000002
【特許請求の範囲】
【請求項１】
長さ方向の第１中心軸及び幅方向の第２中心軸と、頭接内面及び非頭接外面とを有し、前記長さ方向へ延びるストラップを備え、前記ストラップが、前記長さ方向における前記ストラップの中央帯域に環状部と、前記環状部の両側から前記長さ方向へ延びる両側部とを有し、前記環状部が、前記第１中心軸を基準として上側分岐部と下側分岐部とに分岐するとともに、前記第２中心軸を基準として左右対称に形成されるダイビング・フェイス・マスク用ストラップにおいて、
前記上側分岐部及び前記下側分岐部の周長が、相対的に前記上側分岐部において大きくかつ前記下側分岐部において小さいことを特徴とする前記ストラップ。
【請求項２】
前記第２中心軸を基準として分けられる前記ストラップの左右側帯域が、前記下側分岐部の側へ傾斜する請求項１に記載のストラップ。
【請求項３】
前記環状部は、前記頭接内面が前記幅方向における断面において凹曲面に形成される請求項１又は２に記載のストラップ。
【請求項４】
前記上側分岐部及び前記下側分岐部には、凹んだ肉薄部が設けられる請求項１〜３のいずれかに記載のストラップ。
【請求項５】
前記長さ方向における前記環状部の両端部には、凹んだ肉薄部が設けられる請求項１〜４のいずれかに記載のストラップ。
【請求項６】
前記ストラップが前記長さ方向及び幅方向のうち少なくとも長さ方向への弾性的伸縮性を有する請求項１〜５のいずれかに記載のストラップ。
【発明の詳細な説明】
【技術分野】
【０００１】
この発明は、ダイビング・フェイス・マスク用ストラップに関し、さらに詳しくは、装着者の後頭部に当接する前記ストラップの部分に形態特異性と優れた機能とを有する前記ストラップに関するものである。
【背景技術】
【０００２】
従来、一般に、例えば、特許文献１に開示されているダイビング・フェイス・マスクは、装着者の頭部に装着するためのストラップを具備し、ストラップは、その長さ方向の中央帯域に装着者の後頭部に当接する環状部を有する。環状部は、上側分岐部と、下側分岐部とに分岐し、上下対称かつ左右対称に形成される。
【０００３】
さらに非特許文献１として従来のストラップを示す図８を参照して説明すると、ストラップ１００は、その長さ方向の中央帯域に環状部１０１を有する。環状部１０１は、上側分岐部１０２と、下側分岐部１０３とに分岐し、長さ方向の第１中心軸ｙと幅方向の中心軸ｘとを基準として、それぞれ、上下対称及び左右対称に形成されている。したがって、上側分岐部１０２の周長と下側分岐部１０３の周長とは全く等しい。また、ストラップ１００は、その全長にわたって第１中心軸ｙに沿い長さ方向へ一直線に延びる。さらに、環状部１０１は、図示していないが、ストラップ１００の幅方向の断面において二次元的な平坦に形成される。
【特許文献１】特許第３５３６００４号公報
【非特許文献１】図８
【発明の開示】
【発明が解決しようとする課題】
【０００４】
以上に述べた従来のダイビング・フェイス・マスク用ストラップ１００は、環状部１０１を形成する上下側分岐部１０２，１０３の周長が互いに全く等しいので、次の問題がある。すなわち、一般に、人間（装着者）の後頭部は後方向へ三次元的に凸に湾曲し、その頂部は装着者の眼部とほぼ水平線上又はそれよりも若干上方に位置する。前記頂部を基準として装着者の頭部を上下側部に分けたとき、下側部の周長が上側部のそれよりも小さい。しかし、ストラップ１００の装着状態においては、上側分岐部１０２が頭部の上側部に、かつ、下側分岐部１０３が頭部の下側部に、それぞれ位置するので、下側分岐部１０３が弛む／余ることになって頭部の下側部にフィットしない。このため、一般に装着者は、ストラップ１００の左右側部を下側へ引っ張って装着するなどして装着状態を調節することがあるが、その調節が不充分であったり、充分であったとしても経時的に不充分に帰してしまったりすることがある。
【０００５】
この発明は、このような従来のストラップが有していた問題を解決しようとするものであり、ストラップの環状部を形成する上側分岐部及び下側分岐部の周長を装着者の後頭部の周長と整合するように形成することで、また、環状部を三次元的形状に形成することで、装着者の頭部に対する装着安定性及びフィット性を向上させたストラップを実現することを目的とする。
【課題を解決するための手段】
【０００６】
上記目的を達成するための、この発明に係るダイビング・フェイス・マスク用ストラップは、長さ方向の第１中心軸及び幅方向の第２中心軸と、頭接内面及び非頭接外面とを有し、前記長さ方向へ延びるストラップを備え、前記ストラップが、前記長さ方向における前記ストラップの中央帯域に環状部と、前記環状部の両側から前記長さ方向へ延びる両側部とを有し、前記環状部が、前記第１中心軸を基準として上側分岐部と下側分岐部とに分岐するとともに、前記第２中心軸を基準として左右対称に形成されるダイビング・フェイス・マスク用ストラップにおいて、前記上側分岐部及び前記下側分岐部の周長が、相対的に前記上側分岐部において大きくかつ前記下側分岐部において小さいことを特徴とする。
【０００７】
上記目的をさらに確実に達成するためには、前記第２中心軸を基準として分けられる前記ストラップの左右側帯域が、前記下側分岐部の側へ傾斜すること；前記環状部は、前記頭接内面が前記幅方向における断面において凹曲面に形成されること；前記上側分岐部及び前記下側分岐部には、凹んだ肉薄部を有すること；前記長さ方向における前記環状部の両側部には、凹んだ肉薄部を有すること、及び前記ストラップが前記長さ方向及び幅方向のうち少なくとも長さ方向への弾性的伸縮性を有すること、以上の少なくとも一つの形態、好ましくは二つ以上の形態を備えることである。
【発明の効果】
【０００８】
この発明に係るダイビング・フェイス・マスク用ストラップによれば、ストラップの装着者の頭部、特に後頭部に対する装着安定性及びフィット性が向上する。したがってまた、フェイス・マスクの装着安定性及びフィット性が向上する。
【発明を実施するための最良の形態】
【０００９】
この発明に係るダイビング・フェイス・マスク用ストラップを図を参照して説明すると、以下のとおりである。
【００１０】
図１において、ダイビング・フェイス・マスク１０を示し、マスク１０は、レンズフレーム１１と、レンズフレーム１１に保持されるレンズ１２と、レンズフレーム１１に装着されるスカート１３と、レンズフレーム１１の両側部にバックル１４を介して連結されるストラップ１５とを含む。
【００１１】
図２〜４において、ストラップ１５は、長さ及び幅方向への弾性的伸縮性を有するゴム・プラスチック材料からなり、図示の水平状態において、長さ方向へ一直線に延びる第１中心軸ｙ及びその幅方向の第２中心軸ｘと、装着者に対する頭接内面１６及び非頭接外面１７とを有する。ストラップ１５は、長さ方向の中央部に長さ方向へ長いほぼ楕円形の環状部１８と、環状部１８の両側から長さ方向へ延びる両側部１９とを有する。環状部１８は、上側分岐部２０と、下側分岐部２１とに分岐する。上側分岐部２０及び下側分岐部２１の周長は、相対的に上側分岐部２０において大きくかつ下側分岐部２１において小さくされる。第２中心軸ｘを基準として分けられるストラップ１５の左右側帯域２２，２３は、図２の下側、すなわち、下側分岐部２１の側へ第１中心軸ｙ’に沿って傾斜する。一般に、上下側分岐部２０，２１の周長の比は、上側分岐部２０を１００とすると、下側分岐部２１は８０〜９０であることが好ましい。また、傾斜角度、すなわち、第１中心軸ｙに対して第１中心軸ｙ’がなす角度は、１〜１５°の範囲であることが好ましい。
【００１２】
図５及び６に示すように、環状部１８は頭接内面１６が幅方向断面において三次元的に凹曲面に形成される、換言すると、非頭接外面１７の側へ凸に湾曲される（図３参照）。環状部１８における上側分岐部２０及び下側分岐部２１における非頭接外面１７には、複数の凹んだ肉薄部２４がそれら分岐部の長さ方向に沿って延びるように設けられる。また、上側分岐部２０と下側分岐部２１とに分岐する域の近傍、すなわち、環状部１８の両端部における非頭接外面１７には、凹んだ肉薄部２５が設けられる。
【００１３】
図３及び４に示すように、左右側部１９における頭接内面１６の側には、長さ方向へ一定間隔をおいて複数の係合突条２６が設けられる。係合突条２６は、ストラップ１５の長さ調整位置でバックル１４（図１参照）の所要部に係合し、その位置を保持するため、設けられる。
【００１４】
図７は、フェイス・マスクを装着者の頭部ａに装着したときの後頭部ｂにおけるストラップ１５の位置を例示する。このとき、上側分岐部２０は、頭部ａの後方向に凸に湾曲する後頭部ｂの頂部ｃ近傍よりも上側に位置するとともに、下側分岐部２１は、後頭部ｂの頂部ｃ近傍よりも下側に位置する。一般に、人間の頭部ａは、頂部ｃを基準として上下側部に分けたとき、下側部の周長が上側部のそれよりも小さい。一方、既述したとおり、下側分岐部２１の周長は、上側分岐部２０のそれよりも小さい。したがって、フェイス・マスク１０の装着状態において、従来のストラップ１００とは異なり、下側分岐部２１が弛む／余ることがないので、さらには、ストラップ１５の全体がずれ下がることがないので、ストラップ１５の頭部ａに対するフィット性が向上する。ひいては、フェイス・マスク１０の装着安定性及びフィット性が向上する。
【００１５】
ストラップ１５の前記フィット性の向上は、第２中心軸ｘを基準として分けられるストラップ１５の左右側帯域２２，２３が下側分岐部２１の側へ適宜角度で傾斜することで、さらに増す。この傾斜と上下側分岐部２０，２１の前記周長の差とは、相まって上下側分岐部２０，２１に均等の張力がかかるように機能するからである。ちなみに、その均等の張力によって、ストラップ１５の装着状態における頭部ａを局部的に圧迫する不快感と違和感を装着者に覚えさせることがない。
【００１６】
また、ストラップ１５の前記フィット性の向上は、環状部１８の頭接内面１６が三次元的に凹曲面に形成されていることでも、さらに増す。環状部１８の凹曲面が後頭部ｂの湾曲面にフィットするからである。
【００１７】
環状部１８における肉薄部２４，２５は、ストラップ１５の意匠効果を向上させるばかりでなく、上下側分岐部２０，２１を弾性的に伸縮し易くする機能を有し、この機能もまた、ストラップ１５の前記フィット性の向上に寄与する。
【００１８】
前述の上下側分岐部２０，２１の周長の差を有するストラップ１５と同様の効果を得るための他の実施の形態として、図示してないが、下記の構成を挙げることができる。
【００１９】
上下側分岐部２０，２１の周長をほぼ等しく形成するが、上側分岐部２０を弾性的に伸長し易く、かつ、下側分岐部２１を弾性的に伸長し難くする。このためには、上側分岐部２０を肉薄に、かつ、下側分岐部２１を肉厚に、それぞれ形成し、又は、上側分岐部２０に弾性的に伸長し易い材料を配し、かつ、下側分岐部２１に弾性的に伸長し難い材料を配する。このようにすることで、ストラップ１５に張力が作用したときに、上側分岐部２０の周長を大きくかつ下側分岐部２１のそれを小さくすることができる。
【００２０】
この発明は、フェイス・マスクの他、スイミング・ゴーグル、スキー・ゴーグルなどの人間の頭部にストラップを介して装着する器具類の該ストラップに適用可能である。
【図面の簡単な説明】
【００２１】
【図１】この発明に係るストラップをダイビング・フェイス・マスクに装着した一例の斜視図。
【図２】前記ストラップをその非頭接外面の側から見た平面図。
【図３】前記ストラップをその側縁から見た側縁図。
【図４】前記ストラップをその頭接内面から見た平面図。
【図５】図２のＶ−Ｖ線における拡大断面図。
【図６】図２のＶＩ−ＶＩ線における拡大断面図。
【図７】頭部に装着したストラップの仮想位置を示す説明図。
【図８】従来のストラップの平面図。
【符号の説明】
【００２２】
１０    フェイス・マスク
１５    ストラップ
１６    頭接内面
１７    非頭接外面
１８    環状部
１９    両側部
２０    上側分岐部
２１    下側分岐部
２２，２３    側帯域
２４，２５    肉薄部
ｙ    長さ方向の第１中心軸
ｘ    幅方向の第２中心軸
【図１】
2006204460.tif 000003
【図２】
2006204460.tif 000004
【図３】
2006204460.tif 000005
【図４】
2006204460.tif 000006
【図５】
2006204460.tif 000007
【図６】
2006204460.tif 000008
【図７】
2006204460.tif 000009
【図８】
2006204460.tif 000010